(57)【特許請求の範囲】
【請求項１】
ドア１に取り付けられたガイドレール１６と、このガイドレール１６で摺動自在にガイドされる摺動部材１７と、この摺動部材１７に取り付けられてウインドガラス４を保持するキャリアプレート１９とを備え、
上記摺動部材１７には、上記ガイドレール１６の一方の側面１６ｃを摺動する可撓性の第２摺動子１７ｄと、ガイドレール１６の他方の側面１６ｃを摺動する摺動面１７ｅと、ガイドレール１６の上面１６ｄを摺動する摺動面１７ｆとが形成され、第２摺動子１７ｄと摺動面１７ｅとは、対称位置を頂点ａ，ｂとする摺動方向の円弧状にそれぞれ形成されると共に、摺動面１７ｆは、頂点ｄを有する摺動方向の円弧状に形成され、
上記摺動部材１７に形成された凹部１７ｇには弓状第２スプリング板１８ｂが挿入されて、この第２スプリング板１８ｂにより、第２摺動子１７ｄがガイドレール１６の一方の側面１６ｃにばね力で接触して摺動するようになり、
上記摺動部材１７には、第１摺動子２０が配置され、この第１摺動子２０には、摺動部材１７のフック穴１７ｈ，１７ｈに差し込んで係止されるフック部２０ａ，２０ａが形成されると共に、ガイドレール１６の底面１６ａを摺動する第１摺動子部２０ｂ，２０ｂがそれぞれ形成されて、第１摺動子部２０ｂ，２０ｂは、頂点ｃを有する摺動方向の円弧状に形成されていて、第１摺動子部２０ｂの頂点ｃと上記摺動面１７ｆの頂点ｄとは対称位置に設定され、
上記摺動部材１７と第１摺動子２０との間には弓状第１スプリング板１８ａが介装されて、この第１スプリング板１８ａにより、第１摺動子部２０ｂ，２０ｂがガイドレール１６の底面１６ａにばね力で接触して摺動するようになることを特徴とするウインドレギュレータ。
【請求項２】
上記ガイドレール１６の底面１６ａ及び上面１６ｄは、上記ウインドガラス４の曲率に倣った円弧状に形成されると共に、上記第１摺動子２０の摺動面及び摺動部材１７の摺動面１７ｆは、ガイドレール１６の底面１６ａと上面１６ｄよりも小さい曲率で円弧状に形成されている請求項１記載のウインドレギュレータ。
【発明の詳細な説明】
【０００１】
【発明の属する技術分野】
本発明は、ウインドガラスを常にスムーズに昇降できるようにしたウインドレギュレータに関する。
【０００２】
【従来の技術】
従来、図５に示すように、例えば自動車用ウインドレギュレータとしては、ドア１に設けられた前方チャンネル２と後方チャンネル３とでウインドガラス４の前端部と後端部とを摺動自在に保持すると共に、各チャンネル２，３の間に設けられたガイドレール５でガイドされる摺動部材（キャリアプレート）６にウインドガラス４の下端部を固定して、モータ（又は手操作ハンドル）７のワイヤー８で摺動部材６を上下動させることにより、ウインドガラス４を昇降させるようにしたものがある（実開昭６３−７１３８３号公報参照）。
【０００３】
上記のようなウインドレギュレータにおいて、ウインドガラスの前後方向及び厚み方向のがたつきを有効に防止するために、本出願人は、図６に示すように、ドアに取り付けられたガイドレール５と、このガイドレール５で摺動自在にガイドされる摺動部材６と、この摺動部材６に取り付けられてウインドガラス４を保持するキャリアプレート９とを備え、上記摺動部材６に、ガイドレール５の底面５ａを摺動する可撓性の第１摺動子１０と、ガイドレール５の一方の側面５ｃを摺動する可撓性の第２摺動子１１とが設けられると共に、各摺動子１０，１１を各面５ａ，５ｃの方向に付勢する付勢部材１２，１３が設けられているウインドレギュレータを提案した（特願平８−２４１１５５号参照）。
【０００４】
このウインドレギュレータでは、ガイドレール５の底面５ａに、摺動部材６の第１摺動子１０を付勢部材１２で付勢して摺動させることにより、摺動部材６がガイドレール５の上面５ｂに押し付けられるので、ウインドガラス４が厚み方向にがたつかなくなる。また、ガイドレール５の一方の側面５ｃに、摺動部材６の第２摺動子１１を付勢部材１３で付勢して摺動させることにより、摺動部材６がガイドレール５の他方の側面５ｄに押し付けられるので、ウインドガラス４が前後方向にがたつかなくなるという効果を奏することができる。
【０００５】
【発明が解決しようとする課題】
しかしながら、ウインドガラス４が昇降する時に、前方チャンネル２と後方チャンネル３に摺動抵抗差があると、ウインドガラス４が傾いてガイドレール５の摺動部材６の摺動抵抗が急激に増加し、最悪の場合、摺動部材６が摺動できなくなるおそれがある。
【０００６】
この原因としては、図６（ｂ）に示すように、第２摺動子１１は円弧状であるので、ガイドレール５の一方の側面５ｃに円弧状の頂点ａで接するが、摺動部材６の側面６ａはガイドレール５の他方の側面５ｄに、頂点ａからオフセットしたフラットな面部ｂ′で接するために、これらの接点ａ，ｂ′を結ぶ直線がθ度で傾いているために、ウインドガラス４とともに摺動部材６が傾くことにより、摺動部材６の側面６ａがガイドレール５の他方の側面５ｄに楔状に食い込むためである。
【０００７】
同様に、図６（ｃ）に示すように、第１摺動子１０はガイドレール５の底面５ａにフラットな頂点ｃで接すると共に、摺動部材６の上面６ｂはガイドレール５の上面５ｂに、頂点ｃからオフセットしたフラットな面部ｄ′で接するために、これらの接点ｃ，ｄ′を結ぶ直線がθ度で傾いているために、ウインドガラス４とともに摺動部材６が傾くことにより、摺動部材６の上面６ｂがガイドレール５の内上面５ｂに楔状に食い込むためである。
【０００８】
本発明は、上記問題を解決するためになされたもので、ウインドガラスとともに摺動部材が傾いても、ガイドレールの各面に楔状に食い込まないように工夫することにより、ウインドガラスを常にスムーズに昇降できるようにしたウインドレギュレータを提供することを課題とするものである。
【０００９】
【課題を解決するための手段】
上記課題を解決するために、本発明は、ドア１に取り付けられたガイドレール１６と、このガイドレール１６で摺動自在にガイドされる摺動部材１７と、この摺動部材１７に取り付けられてウインドガラス４を保持するキャリアプレート１９とを備え、
上記摺動部材１７には、上記ガイドレール１６の一方の側面１６ｃを摺動する可撓性の第２摺動子１７ｄと、ガイドレール１６の他方の側面１６ｃを摺動する摺動面１７ｅと、ガイドレール１６の上面１６ｄを摺動する摺動面１７ｆとが形成され、第２摺動子１７ｄと摺動面１７ｅとは、対称位置を頂点ａ，ｂとする摺動方向の円弧状にそれぞれ形成されると共に、摺動面１７ｆは、頂点ｄを有する摺動方向の円弧状に形成され、
上記摺動部材１７に形成された凹部１７ｇには弓状第２スプリング板１８ｂが挿入されて、この第２スプリング板１８ｂにより、第２摺動子１７ｄがガイドレール１６の一方の側面１６ｃにばね力で接触して摺動するようになり、
上記摺動部材１７には、第１摺動子２０が配置され、この第１摺動子２０には、摺動部材１７のフック穴１７ｈ，１７ｈに差し込んで係止されるフック部２０ａ，２０ａが形成されると共に、ガイドレール１６の底面１６ａを摺動する第１摺動子部２０ｂ，２０ｂがそれぞれ形成されて、第１摺動子部２０ｂ，２０ｂは、頂点ｃを有する摺動方向の円弧状に形成されていて、第１摺動子部２０ｂの頂点ｃと上記摺動面１７ｆの頂点ｄとは対称位置に設定され、
上記摺動部材１７と第１摺動子２０との間には弓状第１スプリング板１８ａが介装されて、この第１スプリング板１８ａにより、第１摺動子部２０ｂ，２０ｂがガイドレール１６の底面１６ａにばね力で接触して摺動するようになることを特徴とするウインドレギュレータを提供するものである。
【００１０】
【発明の効果】
本発明によれば、ガイドレール１６の底面１６ａに摺動部材１７の第１摺動子２０の第１摺動子部２０ｂが第１スプリング板１８ａのばね力で接触し、その反力で摺動部材１７の摺動面１７ｆがガイドレール１６の上面１６ｄに押し付けられるので、摺動部材１７とともにウインドガラス４が厚み方向にがたつかなくなる。また、ガイドレール１６の一方の側面１６ｃに摺動部材１７の第２摺動子１７ｄが第２スプリング板１８ｂのばね力で接触し、その反力で摺動部材１７の摺動面１７ｅがガイドレール１６の他方の側面１６ｃに押し付けられるので、摺動部材１７とともにウインドガラス４が前後方向にがたつかなくなる。一方、ガイドレール１６の底面１６ａ、両側面１６ｃ及び上面１６ｄを摺動する摺動部材１７の各摺動面１７ｅ，１７ｆ及び第２摺動子１７ｄと第１摺動子部２０ｂは、それぞれ対称位置を頂点（接点）ａ〜ｄとする円弧状に形成しているから、ウインドガラス４とともに摺動部材１７がどの向きに傾いても、摺動部材１７の円弧状の各摺動面１７ｅ，１７ｆ及び第２摺動子１７ｄと第１摺動子部２０ｂがガイドレール１６の各面１６ｂ，１６ｃ，１６ｄに、オフセットしないで接触するようになる。したがって、従来のように、摺動部材１７の各摺動面１７ｅ，１７ｆがガイドレール１６の各面１６ｃ，１６ｄに楔状に食い込むおそれがなくなるので、ウインドガラス４の昇降がスムーズになる。また、摺動部材１７の傾きを防止するための別部材が不要であって、摺動部材１７及び摺動子２０を僅かに改造するだけで良いのでコスト安である。
【００１１】
請求項２のように、上記ガイドレール１６の底面１６ａ及び上面１６ｄは、上記ウインドガラス４の曲率に倣った円弧状に形成されると共に、上記第１摺動子２０の摺動面及び摺動部材１７の摺動面１７ｆは、ガイドレール１６の底面１６ａと上面１６ｄよりも小さい曲率で円弧状に形成されているのが好ましい。
【００１２】
【発明の実施の形態】
以下、本発明の実施の形態を図面を参照して詳細に説明する。なお、図５以下の従来技術と同一構成・作用の箇所は、同一番号を付して詳細な説明は省略する。
【００１３】
図１に示すように、ドア１に設けられたガイドレール１６は、底面１６ａと、この底面１６ａの中央で窪まされた凹底面１６ｂと、上記底面１６ａの両側部から立ち上がった側面１６ｃ，１６ｃと、この側面１６ｃ，１６ｃの各端部から内向きに折曲された上面１６ｄ，１６ｄとで形成されている。このガイドレール１６の底面１６ａ及び上面１６ｄは、図３（ｂ）に示すように、ウインドガラス４の曲率に倣った円弧状に形成されている。
【００１４】
上記ガイドレール１６で摺動自在にガイドされる合成樹脂製の摺動部材１７は、ウインドガラス４を保持するキャリアプレート１９の立上がり部１９ａ、１９ａ（図２及び図４参照）をモールドして取り付ける上下一対の取り付け部１７ａ，１７ａの間のベース部１７ｃに、上記ガイドレール１６の一方の側面１６ｃを摺動する可撓性の第２摺動子１７ｄと、ガイドレール１６の他方の側面１６ｃを摺動する摺動面１７ｅと、ガイドレール１６の上面１６ｄを摺動する摺動面１７ｆとが形成されている。
【００１５】
上記第２摺動子１７ｄと摺動面１７ｅとは、図３（ａ）に示すように、対称位置を頂点（接点）ａ，ｂとする摺動方向の円弧状にそれぞれ形成されると共に、図３（ｂ）に示すように、摺動面１７ｆも頂点（接点）ｄを有する摺動方向の円弧状に形成されている。
【００１６】
上記摺動部材１７のベース部１７ｃに形成された第２摺動子１７ｄに沿った凹部１７ｇには金属製の弓状第２スプリング板１８ｂが挿入されて、この第２スプリング板１８ｂにより、第２摺動子１７ｄがガイドレール１６の一方の側面１６ｃにばね力で接触して摺動するようになる。
【００１７】
また、ガイドレール１６の底面１６ａ側の摺動部材１７のベース部１７ｃには、合成樹脂製性の第１摺動子２０が配置され、この第１摺動子２０には、上記ベース部１７ｃのフック穴１７ｈ，１７ｈに底面１６ａ方向から差し込んで係止されるフック部２０ａ，２０ａが形成されると共に、このフック部２０ａ，２０ａの両側には、ガイドレール１６の凹底面１６ｂを摺動する第１摺動子部２０ｂ，２０ｂがそれぞれ形成されている。この各第１摺動子部２０ｂ，２０ｂも図３（ｂ）に示したように、頂点（接点）ｃを有する摺動方向の円弧状に形成されていて、この各第１摺動子部２０ｂの頂点ｃと上記摺動面１７ｆの頂点ｄとは対称位置に設定されている。
【００１８】
上記摺動部材１７のベース部１７ｃと第１摺動子２０との間には金属製の弓状第１スプリング板１８ａが介装されて、この第１スプリング板１８ａにより、第１摺動子部２０ｂ，２０ｂがガイドレール１６の凹底面１６ｂにばね力で接触して摺動するようになる。
【００１９】
上記摺動部材１７の第２摺動子１７ｄ及び摺動面１７ｅは、ガイドレール１６の両側面１６ｃ，１６ｃが真っ直ぐであることから、フラットに接触しないような円弧状であれば良いが、第１摺動子２０の第１摺動子部２０ｂ，２０ｂ及び摺動面１７ｆは、ガイドレール１６の底面１６ａ及び上面１６ｄがウインドガラス４の曲率に倣った円弧状に形成されていることから、底面１６ａ及び上面１６ｄよりも小さい曲率で円弧状に形成する。
【００２０】
上記構成であれば、ガイドレール１６の凹底面１６ｂに摺動部材１７の第１摺動子２０の第１摺動子部２０ｂ，２０ｂが第１スプリング板１８ａのばね力で接触し、その反力で摺動部材１７の摺動面１７ｆがガイドレール１６の上面１６ｄ，１６ｄに押し付けられるので、摺動部材１７とともにウインドガラス４が厚み方向にがたつかなくなる。
【００２１】
また、ガイドレール１６の一方の側面１６ｃに摺動部材１７の第２摺動子１７ｄが第２スプリング板１８ｂのばね力で接触し、その反力で摺動部材１７の摺動面１７ｅがガイドレール１６の他方の側面１６ｃに押し付けられるので、摺動部材１７とともにウインドガラス４が前後方向にがたつかなくなる。
【００２２】
一方、ガイドレール１６の凹底面１６ｂ、両側面１６ｃ，１６ｃ及び上面１６ｄ，１６ｄを摺動する摺動部材１７の各摺動面１７ｅ，１７ｆ及び第２摺動子１７ｄと第１摺動子部２０ｂは、それぞれ対称位置を頂点（接点）ａ〜ｄとする円弧状に形成しているから、ウインドガラス４とともに摺動部材１７がどの向きに傾いても、摺動部材１７の円弧状の各摺動面１７ｅ，１７ｆ及び第２摺動子１７ｄと第１摺動子部２０ｂがガイドレール１６の各面１６ｂ，１６ｃ，１６ｃ，１６ｄ，１６ｄに、オフセットしないで接触するようになる。
【００２３】
したがって、従来のように、摺動部材１７の各摺動面１７ｅ，１７ｆがガイドレール１６の各面１６ｃ，１６ｄに楔状に食い込むおそれがなくなるので、ウインドガラス４の昇降がスムーズになる。
【図面の簡単な説明】
【図１】  本発明のウインドレギュレータの摺動部材の分解斜視図である。
【図２】  図１のＡ−Ａ線に相当する断面図である。
【図３】  摺動部材であり、（ａ）は平面図、（ｂ）は側面図、（ｃ）は図１のＢ−Ｂ線に相当する断面図である。
【図４】  キャリアプレートの要部斜視図である。
【図５】  従来のウインドレギュレータの正面図である。
【図６】  先行技術のウインドレギュレータの摺動部材であり、（ａ）は分解斜視図、（ｂ）は平面図、（ｃ）は側面図である。
【符号の説明】
１      ドア
４      ウインドガラス
１６    ガイドレール
１６ａ  底面
１６ｂ  凹底面
１６ｃ  側面
１６ｄ  上面
１７    摺動部材
１７ｄ  第２摺動子
１７ｅ，１７ｆ  摺動面
１８ａ，１８ｂ  スプリング板
１９    キャリアプレート
２０    第１摺動子
２０ｂ  第１摺動子部
ａ〜ｄ  頂点（接点）
【図１】
0003884145.tif 000002
【図２】
0003884145.tif 000003
【図３】
0003884145.tif 000004
【図４】
0003884145.tif 000005
【図５】
0003884145.tif 000006
【図６】
0003884145.tif 000007